(57)【要約】【課題】ワイヤ溶接自転車籠に存在する、周面下部と底部の網目から小さい物品を落して紛失するのを防止する。【解決手段】ワイヤ溶接型の籠本体１の外側に、その下部を覆う外カバー２が設けられ、外カバー２の上端縁に、横方向ワイヤ１−１に係止する係止部２−１が設けられている。外カバー２の底端に、籠本体１の底面の周囲に沿って連続した内突片２−３が設けられ、この内突片に、対になった留め具３，３が分布しており、対の留め具の、相対向する抜け止め突起３１は、対応する籠本体底面の縦方向ワイヤ１−２と係合され、籠本体底面の内側に留め板４が配置されており、留め板４にロック留め具５が設けられて、対になった留め具３のもう一つの抜け止め突起３２が、対応するロック留め具５の抜け止め突起５１にそれぞれ係止されるワイヤ溶接自転車籠。【選択図】  図１
2018034532.tif 000002
【特許請求の範囲】
【請求項１】
縦方向ワイヤと横方向ワイヤとが溶接されてなる籠本体を備えたワイヤ溶接自転車籠であって、
前記籠本体の外側に、その下部を覆う外カバーが設けられており、前記外カバーの上端縁に、それに対応する横方向ワイヤに係止する係止部が設けられており、前記係止部底面の形状は横方向ワイヤの表面と合致し、
前記外カバーの底端に、籠本体の底面の周囲に対応し、この周囲に沿って連続した内突片が設けられており、この内突片に、籠本体底面に対向する縦方向ワイヤの両側にそれぞれ対応する、対になった留め具が分布しており、前記対になった留め具の、相対向する抜け止め突起は、対応する籠本体底面の縦方向ワイヤと係合され、
前記籠本体底面の内側に留め板が配置され、この留め板に、外カバー底端の前記内突片の各留め具に対応するロック留め具が設けられており、対になった留め具のもう一つの抜け止め突起が、対応するロック留め具の抜け止め突起にそれぞれ係止されるワイヤ溶接自転車籠。
【請求項２】
前記外カバーの表面に、間隔を置いて分布する透かし孔が設けられている請求項１に記載のワイヤ溶接自転車籠。
【請求項３】
前記外カバーの表面に塗料層が設けられている請求項１に記載のワイヤ溶接自転車籠。
【請求項４】
前記外カバー上端縁の係止部が、籠本体に対して後側および両側の、対応する横方向ワイヤに係止されて連結される請求項１に記載のワイヤ溶接自転車籠。
【請求項５】
前記留め板の周縁に、籠本体の各縦方向ワイヤにそれぞれ係合される凹溝が設けられている請求項１に記載のワイヤ溶接自転車籠。
【請求項６】
前記裏打ち板に、自転車籠支持体取り付け板に対応する開孔が設けられている請求項１に記載のワイヤ溶接自転車籠。
【請求項７】
前記裏打ち板の中央部位に、間隔を置いて分布する貫通孔が設けられている請求項１に記載のワイヤ溶接自転車籠。
【発明の詳細な説明】
【技術分野】
【０００１】
本発明は電動車両・自転車用の籠（かご）に属し、特に、ワイヤ溶接自転車籠に関する。
【背景技術】
【０００２】
電動車両・自転車用のワイヤ溶接籠は一般的に、縦方向および横方向のワイヤが溶接されて籠本体を構成するとともに、縦方向ワイヤが横方向ワイヤの内側に溶接固定される。
上記自転車籠は、縦方向ワイヤと横方向ワイヤとが溶接されてなる籠本体に、網目が大きいという実際的な問題が存在しており、特に、自転車籠の籠本体の下部と底部の網目は、小さい物品が落ちて紛失する現象が生じやすい。
【発明の概要】
【発明が解決しようとする課題】
【０００３】
本発明は、ワイヤ溶接自転車籠に存在する、周面下部と底部の網目は、小さい物品を落して紛失する現象が生じやすいという技術的問題を解決するために、前記欠点を克服することができるワイヤ溶接自転車籠を提供する。
【課題を解決するための手段】
【０００４】
本発明は、上記目的を果たすために以下の技術案を採用する：
縦方向ワイヤと横方向ワイヤとが溶接されてなる籠本体を備えたワイヤ溶接自転車籠であって、
前記籠本体の外側に、その下部を覆う外カバーが設けられており、前記外カバーの上端縁に、それに対応する横方向ワイヤに係止する係止部が設けられており、前記係止部底面の形状は横方向ワイヤの表面と合致し、
前記外カバーの底端に、籠本体の底面の周囲に対応し、この周囲に沿って連続した内突片が設けられており、この内突片に、籠本体底面に対向する縦方向ワイヤの両側にそれぞれ対応する、対になった留め具が分布しており、前記対になった留め具の、相対向する抜け止め突起は、対応する籠本体底面の縦方向ワイヤと係合され、
前記籠本体底面の内側に留め板が配置され、この留め板に、外カバー底端の前記内突片の各留め具に対応するロック留め具が設けられており、対になった留め具のもう一つの抜け止め突起が、対応するロック留め具の抜け止め突起にそれぞれ係止されるワイヤ溶接自転車籠。
【０００５】
本発明は、以下の技術的措置を講じることができる：
前記外カバーの表面に、間隔を置いて分布する透かし孔が設けられている。
前記外カバーの表面に塗料層が設けられている。
前記外カバー上端縁の内縁口が、籠本体に対して後側および両側の、対応する横方向ワイヤに係止して連結される。
前記裏打ち板の周縁に、籠本体の各縦方向ワイヤにそれぞれ係合される凹溝が設けられている。
前記裏打ち板に、自転車籠支持体取り付け板に対応する開孔が設けられている。
前記裏打ち板の中央部位に、間隔を置いて分布する貫通孔が設けられている。
【発明の効果】
【０００６】
本発明の有益な効果および長所は以下の点にある：このワイヤ溶接自転車籠に設けられた外カバーと留め板が自転車籠の籠本体下部および底部の網目を塞ぐことができるため、小さい物品が落ちて紛失する現象を回避している。外カバーは、上端縁の係止部と底端の内突片に設けた留め具、および留め板のロック留め具を介して籠本体に固定され、固定構造の信頼性が高い。構造が簡単であり、組み立てやすく、固定が確実であり、ワイヤ溶接自転車籠の品質を高め型式を増やすのに有利であるという際立った長所を、本発明は有する。
【図面の簡単な説明】
【０００７】
【図１】本発明の実施形態１の構造の概略図である。
【図２】外カバー上端縁と籠本体の横方向ワイヤとの連結構造の概略図である。
【図３】外カバーの平面図である。
【図４】留め板の底面図である。
【図５】図４のＡ−Ａ図である。
【図６】留め具および関連する構造の概略図である。
【図７】本発明の実施形態２の構造の概略図である。
【発明を実施するための形態】
【０００８】
以下、実施形態およびその図面を参照しながら、本発明についてさらに説明する。
図１に示す実施形態１のように、横方向ワイヤ１−１と縦方向ワイヤ１−２とが溶接されてなる籠本体１を備えたワイヤ溶接自転車籠であって、籠本体１の外側に、その下部を覆う外カバー２が設けられている。外カバー２は、籠本体１の下部の周囲を取り囲む周壁２０を有し、この周壁２０に、間隔を置いて分布する透かし孔(貫通孔)２−２が設けられており、外カバー２の表面に塗料層が設けられている。透かし孔２−２は、適宜に間隔を置いて配列され種々のパターンを構成することができる。前記塗料層は、外カバー２の外側表面のみに形成してもよいし、外側と内側の両方に形成してもよく、自転車籠の品質を高める効果がある。
【０００９】
図１、２に示すように、外カバー２の上端縁に、それに対応する横方向ワイヤ１−１に向かってカバー内側に突出する係止部２−１が設けられており、係止部の底面の形状は横方向ワイヤの表面と合致する。図１に示す実施形態１の外カバー上端縁の係止部２−１が、籠本体１に対して後側および両側の、対応する部分の横方向ワイヤ１−１に係止して連結される。
【００１０】
図３、６に示すように、外カバー２の底端(下端)に、籠本体１の底面の周囲に対応し、この周囲に沿って連続した内突片２−３が設けられており、この内突片２−３の内側が開口２０となっている。内突片２−３に、籠本体１の底面に対向する、詳しくは底面の四隅に対応する位置にある縦方向ワイヤ１−２に対して、その両側にそれぞれ対応する、対になった留め具３、３が設けられている。各対になった留め具３，３の、相対向する抜け止め突起３１，３１は、対応する籠本体底面の縦方向ワイヤ１−２と係合される。
【００１１】
図４、５、６に示すように、籠本体１底面の内側に留め板（裏打ち板）４が配置されており、留め板４の底面（下面）に、外カバー２底端の内突片２−３の各留め具３に対応する対のロック留め具５、５が設けられている。対になった留め具３，３のもう一つの抜け止め突起３２，３２が、対応するロック留め具５の抜け止め突起５１，５１にそれぞれ係止される。留め板４の周縁に、籠本体１の各縦方向ワイヤ１−２にそれぞれ係合される凹溝４−１が設けられている。
【００１２】
図６から分かるとおり、留め板４は、籠本体１の内側に僅かな隙間で嵌まり込む大きさに設定されており、前記外カバー２の底面の開口２０を上方から覆い隠す大きさを持つ。留め板４に、自転車籠支持体取り付け板に対応する開孔４−２が設けられており、該開孔は取り付け板と座金の取り付けに便利である。留め具３とロック留め具５が共に作用し、留め板４を介して外カバー２を籠本体１に固定させる。また、留め板４の中央破線枠内の部位に、間隔を置いて分布する貫通孔４−３が設けられている。
【００１３】
図４、５、６に示された留め板４の周縁に、上向きに曲がった部分が設けられているが、留め板４は平らな板であってもよく、自転車籠の籠本体の具体的状況に応じて決定しなければならない。
【００１４】
図７に示す実施形態２のように、実施形態１とは形状の異なる外カバー２の上端縁に、それに対応する横方向ワイヤ１−２係止する係止部２−１が設けられており、係止部底面の形状は横方向ワイヤ１−１の表面と合致する。
図７に示す実施形態２の外カバー上端縁の係止部２−１が、籠本体１の、対応する横方向ワイヤ１−１にすべて係止されて連結されるが、実施形態２の他の構造は実施形態１と同じであり、重複した説明は繰り返さない。
【００１５】
上記各実施形態において、籠本体１のワイヤは金属製であり、外カバー２および留め板４は樹脂製または金属製である。
【符号の説明】
【００１６】
１  籠本体
１−１  横方向ワイヤ
１−２  縦方向ワイヤ
２  外カバー
２−１  係止部
２−２  透かし孔
２−３  内突片
３  留め具
４  留め板
４−１  凹溝
４−２  開口
４−３  通孔
５  ロック留め具
３１，３２  留め具の抜け止め突起
５１  ロック留め具の抜け止め突起
【図１】
2018034532.tif 000003
【図２】
2018034532.tif 000004
【図３】
2018034532.tif 000005
【図４】
2018034532.tif 000006
【図５】
2018034532.tif 000007
【図６】
2018034532.tif 000008
【図７】
2018034532.tif 000009